(57)【要約】【課題】複数個を収納する際に支柱を互いに近接させることにより、省スペース化を図るとともに収納効率を高めることを可能とする、ディスプレイスタンドを提供する。【解決手段】ディスプレイスタンド１は、所定の間隔を隔てて立設される二本の支柱１１・１１と、支柱１１・１１を連結するとともに前面側にディスプレイＤが固定されるディスプレイ支持部１２と、二本の支柱１１・１１の下端部近傍から前方の斜め下方向に平行に延出される一対の前側脚部材１３・１３と、下端部近傍から後方の斜め下方向に平行に延出される一対の後側脚部材１４・１４と、を備え、一対の前側脚部材１３・１３の内側寸法Ｄ１は、一対の後側脚部材１４・１４の外側寸法Ｄ２よりも大きくなるように形成される。【選択図】図２
2020181140.tif 000002
【特許請求の範囲】
【請求項１】
所定の間隔を隔てて立設される二本の支柱と、前記支柱を連結するとともに前面側にディスプレイが固定されるディスプレイ支持部と、二本の前記支柱の下端部近傍から前後方向のうち何れか一方の斜め下方向に平行に延出される一対の一側脚部材と、前記下端部近傍から前後方向のうち何れか他方の斜め下方向に平行に延出される一対の他側脚部材と、を備えるディスプレイスタンドであって、
一対の前記一側脚部材の内側寸法は、一対の前記他側脚部材の外側寸法よりも大きくなるように形成される、ディスプレイスタンド。
【請求項２】
前記一側脚部材の中途部は、棒状の一側補強部材により連結され、
前記他側脚部材の中途部は、棒状の他側補強部材により連結され、
前記一側補強部材は、前記他側補強部材よりも高い位置に設けられる、請求項１に記載のディスプレイスタンド。
【請求項３】
前記一側脚部材は、二本の前記支柱の下端部から前方の斜め下方向に延出され、
前記他側脚部材は、二本の前記支柱の下端部から後方の斜め下方向に延出される、請求項２に記載のディスプレイスタンド。
【請求項４】
前記一側補強部材と前記他側補強部材とで支持される箱状のケース部材を備える、請求項２又は請求項３に記載のディスプレイスタンド。
【請求項５】
前記ケース部材は、前記一側補強部材の側に背板が形成されるとともに、前記他側補強部材の側に底板が形成され、
前記背板は、二本の前記他側脚部材を含む平面と略平行となるように設けられる、請求項４に記載のディスプレイスタンド。
【発明の詳細な説明】
【技術分野】
【０００１】
本発明はディスプレイスタンドに関し、詳細にはテーブルの近傍等に変位させて使用可能なディスプレイスタンドに関するものである。
【背景技術】
【０００２】
従来、プラズマディスプレイや液晶ディスプレイ等の大画面のフラットパネルディスプレイがオフィスや学校等で使用されている。このようなフラットパネルディスプレイを支持するためのディスプレイスタンドとして、立設された支柱から下方に脚部材を延出し、支柱にディスプレイを取り付けるための取付部を設けた構成が知られている（例えば、特許文献１を参照）。
【先行技術文献】
【特許文献】
【０００３】
【特許文献１】特開２０１６−９０６５３号公報
【発明の概要】
【発明が解決しようとする課題】
【０００４】
上記特許文献１に記載のディスプレイスタンドによれば、複数個を収納する際に支柱を互いに近接させて配置することができない。このため、それぞれのディスプレイスタンドの脚部材が占める面積の合計に相当するスペースを収納スペースとして確保する必要がある。即ち、従来技術に係るディスプレイスタンドは、複数個を収納する際の収納効率が悪かった。
【０００５】
本発明は以上の如き状況に鑑みてなされたものであり、本発明が解決しようとする課題は、複数個を収納する際に支柱を互いに近接させることにより、省スペース化を図るとともに収納効率を高めることを可能とする、ディスプレイスタンドを提供することである。
【課題を解決するための手段】
【０００６】
本発明は、上記課題を解決するために、以下に構成するディスプレイスタンドを提供する。
【０００７】
（１）所定の間隔を隔てて立設される二本の支柱と、前記支柱を連結するとともに前面側にディスプレイが固定されるディスプレイ支持部と、二本の前記支柱の下端部近傍から前後方向のうち何れか一方の斜め下方向に平行に延出される一対の一側脚部材と、前記下端部近傍から前後方向のうち何れか他方の斜め下方向に平行に延出される一対の他側脚部材と、を備えるディスプレイスタンドであって、一対の前記一側脚部材の内側寸法は、一対の前記他側脚部材の外側寸法よりも大きくなるように形成される、ディスプレイスタンド。
【０００８】
（２）前記一側脚部材の中途部は、棒状の一側補強部材により連結され、前記他側脚部材の中途部は、棒状の他側補強部材により連結され、前記一側補強部材は、前記他側補強部材よりも高い位置に設けられる、（１）に記載のディスプレイスタンド。
【０００９】
（３）前記一側脚部材は、二本の前記支柱の下端部から前方の斜め下方向に延出され、前記他側脚部材は、二本の前記支柱の下端部から後方の斜め下方向に延出される、（２）に記載のディスプレイスタンド。
【００１０】
（４）前記一側補強部材と前記他側補強部材とで支持される箱状のケース部材を備える、（２）又は（３）の何れか一に記載のディスプレイスタンド。
【００１１】
（５）前記ケース部材は、前記一側補強部材の側に背板が形成されるとともに、前記他側補強部材の側に底板が形成され、前記背板は、二本の前記他側脚部材を含む平面と略平行となるように設けられる、（４）に記載のディスプレイスタンド。
【発明の効果】
【００１２】
以上における本発明に係るディスプレイスタンドは、以下に示す効果を奏する。
【００１３】
（１）の構成によれば、複数個のディスプレイスタンドを収納する際に支柱を互いに近接させることにより、省スペース化を図るとともに収納効率を高めることが可能となる。
【００１４】
（２）の構成によれば、他側補強部材が設けられている高さと同じ高さに一側補強部材が設けられた場合と比較して、ディスプレイスタンドにおける一側補強部材の側をより他の構成に近接させることができる。
【００１５】
（３）の構成によれば、ディスプレイをより他の構成に近接させることができる。
【００１６】
（４）の構成によれば、ケース部材の開口部を後方の斜め上方に向けることができるため、使用者がケース部材を使用する際に、上方から視認しやすく、かつ、物の出し入れを行いやすくすることができる。
【００１７】
（５）の構成によれば、複数のディスプレイスタンドを隣接して収納する際に、ケース部材が他側補強部材と干渉することを防止できる。
【図面の簡単な説明】
【００１８】
【図１】一実施形態に係るディスプレイスタンドを示す斜視図。
【図２】一実施形態に係るディスプレイスタンドを示す正面図。
【図３】一実施形態に係るディスプレイスタンドを示す右側面図。
【図４】ホワイトボードを載置した状態のディスプレイスタンドを示す斜視図。
【図５】ホワイトボードを載置した状態のディスプレイスタンドを示す背面斜視図。
【図６】ホワイトボードとケース部材を組付ける状態を示した背面斜視図。
【図７】ケース部材の組付構成を示した拡大断面図。
【図８】テーブルに近接させた状態のディスプレイスタンドを示す斜視図。
【図９】テーブルに近接させた状態のディスプレイスタンドを示す右側面図。
【図１０】複数のディスプレイスタンドの収容状態を示す右側面図。
【発明を実施するための形態】
【００１９】
以下では図１から図１０を用いて、本発明の一実施形態に係るディスプレイスタンド１について説明する。なお、図１〜図５中に示す矢印はディスプレイスタンド１の前後方向又は左右方向を示している。ディスプレイスタンド１は図１から図３に示す如く、前面側の上部でフラットパネルディスプレイ（以下、単に「ディスプレイ」と記載する）Ｄを支持する。本実施形態に係るディスプレイスタンド１で支持するディスプレイＤは、図６に示す如く電源供給用のディスプレイコードＣ１を備えている。なお、本明細書においては説明の便宜上、図６以外の図面ではディスプレイコードＣ１の図示を省略している。
【００２０】
本実施形態に係るディスプレイスタンド１は、概ねスチール又はアルミ等の金属からなる板状部材又は筒状部材で構成される。但し、各部材において適宜木製部材又は樹脂製部材等の他の素材を採用することも可能である。
【００２１】
図１から図３に示す如く、ディスプレイスタンド１は、二本の支柱１１・１１と、ディスプレイ支持部１２と、一対の一側脚部材である前側脚部材１３・１３と、一対の他側脚部材である後側脚部材１４・１４と、トレイ２１と、ケース部材３１と、を主な構成要素として備える。以下、各部材について順に説明する。
【００２２】
支柱１１・１１は、ディスプレイＤの横幅よりもやや広い所定の間隔を隔てて立設される。支柱１１・１１はディスプレイ支持部１２によって連結される。具体的には図６に示す如く、ディスプレイ支持部１２を構成する二本のフレーム部材である上側支持部１２ａと下側支持部１２ｂとにより、二本の支柱１１・１１が連結される。上側支持部１２ａ及び下側支持部１２ｂには、前面側に固定部１２ｃが係止された状態で連結される。そして、図３に示す如く、ディスプレイＤが固定部１２ｃの前面に図示しないネジ等の固定具で固定されることにより、ディスプレイＤがディスプレイ支持部１２により支持される。
【００２３】
二本の支柱１１・１１の下端部近傍から前方の斜め下方向には、一対の前側脚部材１３・１３が平行に延出される。本実施形態においては、支柱１１と前側脚部材１３は一本のフレーム部材が途中で折り曲げられ、その上部が支柱１１、下部が前側脚部材１３として構成されている。
【００２４】
また、支柱１１・１１の下端部近傍から後方の斜め下方向には、一対の後側脚部材１４・１４が平行に延出される。詳細には、支柱１１と前側脚部材１３とを構成する一対のフレーム部材は、互いの折り曲げられた部分が一本の連結部材２０で連結される。そして、連結部材２０の両端部に、一対の後側脚部材１４・１４の上端部が連結されている。
【００２５】
前側脚部材１３・１３及び後側脚部材１４・１４の下端部にはキャスター１５が連結されている。これにより、ディスプレイスタンド１の使用者は、支柱１１を把持して水平方向に力を加えることで、容易にディスプレイスタンド１を変位させることができる。また、本実施形態に係るディスプレイスタンド１は、平面視において、キャスター１５を結んだ矩形形状の中にディスプレイＤが位置するように構成される。これにより、ディスプレイスタンド１が転倒しにくくなるため、使用者がディスプレイスタンド１を移動させる際に安定して操作することができる。
【００２６】
本実施形態においては図２に示す如く、一対の前側脚部材１３・１３の内側寸法（より詳細には、前側脚部材１３・１３に連結されたキャスター１５・１５の内側寸法）Ｄ１は、一対の後側脚部材１４・１４の外側寸法（より詳細には、後側脚部材１４・１４に連結されたキャスター１５・１５の外側寸法）Ｄ２よりも大きくなるように形成されている。
【００２７】
また、前側脚部材１３・１３の中途部は、棒状の一側補強部材である前側補強部材１６により連結される。また、後側脚部材１４・１４の中途部は、棒状の他側補強部材である後側補強部材１７により連結されている。ディスプレイスタンド１は、これらの前側補強部材１６及び後側補強部材１７で前側脚部材１３・１３及び後側脚部材１４・１４を補強することにより剛性を高めている。図３に示す如く、本実施形態に係るディスプレイスタンド１において、前側補強部材１６は後側補強部材１７よりも高い位置に設けられる。
【００２８】
図１から図５に示す如く、本実施形態に係るディスプレイスタンド１は、前側補強部材１６と後側補強部材１７とで支持される箱状のケース部材３１を備える。ケース部材３１は、背板３１ａ、底板３１ｂ、及び、二枚の側板３１ｃ・３１ｃで構成されている。ケース部材３１には、背板３１ａの上端に屈曲部である前側係合部３２が形成され、底板３１ｂの後端に屈曲部である後側係合部３３が形成されている。
【００２９】
ケース部材３１をディスプレイスタンド１に組付ける際は図６に示す如く、前側係合部３２を前側補強部材１６に係合し、後側係合部３３を後側補強部材１７に係合する。ケース部材３１は、前側補強部材１６の側に背板３１ａが形成され、後側補強部材１７の側に底板３１ｂが形成されている。本実施形態においては図３に示す如く、背板３１ａは後側脚部材１４を含む平面と略平行となるように（側面視で背板３１ａと後側脚部材１４とが略平行となるように）設けられる。
【００３０】
ディスプレイスタンド１は図１から図３に示す如く、二本の支柱１１・１１におけるディスプレイ支持部１２の下方にトレイ２１が設けられる。具体的には、連結部材２０の上面に樋状のトレイ２１が固定されている。図３に示す如く、トレイ２１は前後両側の上方が開放されて配置される。このため、ディスプレイスタンド１の使用者は、ディスプレイスタンド１の前後どちら側からでも、トレイ２１に物を載置したり、トレイ２１上の載置物を取ったりすることができる。このように、本実施形態に係るディスプレイスタンド１によれば、ディスプレイＤを支持する側の反対側にいる使用者がトレイ２１を使用することが可能となるため、使用者にとって利便性を向上させることができる。
【００３１】
本実施形態に係るディスプレイスタンド１では図４から図６に示す如く、トレイ２１の後部には、ホワイトボードＢが載置可能とされるホワイトボード支持部２１ａが設けられる。具体的には、図３及び図５に示す如く、ホワイトボード支持部２１ａには、幅方向に沿って凹部が形成されており、この凹部にホワイトボードＢを載置可能としている。
【００３２】
このように、本実施形態に係るディスプレイスタンド１においてはトレイ２１の後部にホワイトボード支持部２１ａを設けることにより、ディスプレイＤを支持する側の反対側にいる使用者がホワイトボードＢを使用することが可能となる。また、ホワイトボード支持部２１ａに凹部を形成することにより、ホワイトボードＢをトレイ２１に安定的に載置することが可能となる。
【００３３】
本実施形態に係るディスプレイスタンド１において、トレイ２１には電源供給用の接続部２２が組付けられている。また、接続部２２は図１から図３に示す如く、接続面（コンセントの差込口が形成された面）が前向きになるように配置されている。これにより、図８及び図９に示す如くディスプレイスタンド１をテーブルＴに近接させて使用する場合、ディスプレイＤの側の使用者（例えば、テーブルＴの周囲に座っている使用者）がテーブルＴ上でパソコン等を使用する際に電源を使用しやすくなる。
【００３４】
なお、本実施形態に係るディスプレイスタンド１が備える接続部２２は、図６に示す如く電源供給用の接続部コードＣ２を備えている。なお、本明細書においては説明の便宜上、図６以外の図面では接続部コードＣ２の図示を省略している。また、本実施形態においてはトレイ２１に接続部２２を組付けて構成しているが、単にトレイ２１に電源タップを載置する構成とすることも可能である。
【００３５】
図６に示す如く、本実施形態に係るディスプレイスタンド１において、支柱１１にはディスプレイＤから延出されるディスプレイコードＣ１を巻回して係止可能な上側係止部材１８ａが設けられている。これにより、ディスプレイＤから延出されるディスプレイコードＣ１を簡潔に収容することができる。なお、上側係止部材１８ａを左右に回動可能に構成することにより、上側係止部材１８ａをホワイトボードＢの規制部材（落下防止部材）として機能させることも可能である。
【００３６】
また、図６に示す如く、ディスプレイスタンド１において、後側脚部材１４には上側係止部材１８ａと同形状の下側係止部材１８ｂが設けられている。本実施形態においては、下側係止部材１８ｂには接続部２２から延出される接続部コードＣ２を巻回して係止している。下側係止部材１８ｂに、ディスプレイコードＣ１を巻回して係止することも可能である。なお、ディスプレイスタンド１において、上側係止部材１８ａと下側係止部材１８ｂとのうち何れか一方のみを設ける構成とすることも可能である。
【００３７】
また、ディスプレイスタンド１においては図２に示す如く、支柱１１・１１の下端部近傍から前方に延出される前側脚部材１３・１３の内側寸法Ｄ１は、後方に延出される後側脚部材１４・１４の外側寸法Ｄ２よりも大きくなるように形成される。これにより、複数のディスプレイスタンド１・１・・・を収納する際に、図１０に示す如く後側脚部材１４・１４を後方で隣接するディスプレイスタンド１における前側脚部材１３・１３の内側に入れることができる。これにより、複数のディスプレイスタンド１・１・・・を収納する際に支柱１１及びディスプレイＤを互いに近接させることができるため、省スペース化を図ることにより収納効率を高めることが可能となる。
【００３８】
図８及び図９に示す如く、本実施形態に係るディスプレイスタンド１をテーブルＴの近傍で使用する際は、前側補強部材１６がテーブルＴの脚に当接するまで、ディスプレイスタンド１をテーブルＴの側に近づけることができる。また、本実施形態に係るディスプレイスタンド１においては図２及び図３に示す如く、前側補強部材１６及び後側補強部材１７により剛性を高めている。そして、ディスプレイスタンド１において、前側補強部材１６は後側補強部材１７よりも高い位置に設けられている。
【００３９】
上記の如く構成することにより、後側補強部材１７が設けられている高さと同じ高さに前側補強部材１６が設けられた場合と比較して、図９に示す如くディスプレイスタンド１の前側をよりテーブルＴに近接させることができる。本実施形態に係るディスプレイスタンド１によれば、前側にディスプレイＤが固定されているため、ディスプレイＤをテーブルＴの周囲に座っている使用者により近づけることが可能となる。
【００４０】
また、前側補強部材１６を後側補強部材１７よりも高い位置に設けることにより、複数のディスプレイスタンド１・１・・・を隣接して収納する際の収納効率を高めることができる。具体的には図１０に示す如く、後側脚部材１４・１４を後方で隣接するディスプレイスタンド１における前側脚部材１３・１３の内側に入れた際は、後側脚部材１４・１４が隣接するディスプレイスタンド１の前側補強部材１６に当接するまで近づけることができる。
【００４１】
本実施形態においては前側補強部材１６が後側補強部材１７よりも高い位置に設けられているため、後側補強部材１７が設けられている高さと同じ高さに前側補強部材１６が設けられた場合と比較して、図１０に示す如くディスプレイスタンド１をより後方で隣接するディスプレイスタンド１により近接させることができる。即ち、ディスプレイスタンド１においては、前側補強部材１６及び後側補強部材１７により剛性を高めるとともに、複数のディスプレイスタンド１・１・・・を収納する際の省スペース化を図ることを可能としている。
【００４２】
また、ディスプレイスタンド１においては図１及び図３に示す如く、前側補強部材１６と後側補強部材１７とで支持される箱状のケース部材３１が設けられる。本実施形態においては前側補強部材１６を後側補強部材１７よりも高い位置に配置しているため、図３に示す如くケース部材３１の開口部を後方の斜め上方に向けることができる。これにより、使用者がケース部材３１を使用する際に、上方から視認しやすく、かつ、物の出し入れを行いやすくすることができる。
【００４３】
また、ケース部材３１は図３に示す如く、前側補強部材１６の側に背板３１ａが形成され、後側補強部材１７の側に底板３１ｂが形成されている。そして、ケース部材３１は前側補強部材１６と後側補強部材１７とにおいて斜めに配置されることにより、背板３１ａが二本の後側脚部材１４・１４を含む平面と略平行となるように設けられる。
【００４４】
上記の如く構成することにより、複数のディスプレイスタンド１・１・・・を隣接して収納する際に、ケース部材３１が後側補強部材１７と干渉することを防止できる。具体的には図１０に示す如く、後側脚部材１４・１４を後方で隣接するディスプレイスタンド１における前側脚部材１３・１３の内側に入れた際に、側面視で背板３１ａが後側脚部材１４と平行になる。このため、後側補強部材１７が隣接するディスプレイスタンド１のケース部材３１に当接することを防止できるのである。
【符号の説明】
【００４５】
１        ディスプレイスタンド
１１        支柱                   １２        ディスプレイ支持部
１２ａ      上側支持部             １２ｂ      下側支持部     
１２ｃ      固定部                 １３        前側脚部材     
１４        後側脚部材             １５        キャスター     
１６        前側補強部材           １７        後側補強部材   
１８ａ      上側係止部材           １８ｂ      下側係止部材   
２０        連結部材               ２１        トレイ         
２１ａ      ホワイトボード支持部
２２        接続部                 ３１        ケース部材     
３１ａ      背板                   ３１ｂ      底板           
３１ｃ      側板                   ３２        前側係合部     
３３        後側係合部               Ｄ        ディスプレイ   
Ｂ        ホワイトボード           Ｔ        テーブル       
Ｃ１      ディスプレイコード
Ｃ２      接続部コード   
【図１】
2020181140.tif 000003
【図２】
2020181140.tif 000004
【図３】
2020181140.tif 000005
【図４】
2020181140.tif 000006
【図５】
2020181140.tif 000007
【図６】
2020181140.tif 000008
【図７】
2020181140.tif 000009
【図８】
2020181140.tif 000010
【図９】
2020181140.tif 000011
【図１０】
2020181140.tif 000012